(57)【特許請求の範囲】
【請求項１】
冷蔵庫本体の上部に設けた冷蔵室と、
前記冷蔵庫本体の下部に設けた冷凍室と、
前記冷蔵室の背部に設けられ前記冷蔵室を冷却する冷蔵室冷却用蒸発器と、
前記冷凍室の背部に設けられ前記冷凍室を冷却する冷凍室冷却用蒸発器と、
前記冷蔵室内に設けられ前記冷蔵室冷却用蒸発器より下方に位置する野菜容器と、
前記野菜容器の上方に前記野菜容器の上面開口部を覆うように設けられた上側仕切り板と、
前記野菜容器の上方に設けられ食品を載置する載置棚と、
前記野菜容器の下方に設けられた下側仕切り板と、
前記下側仕切り板の下方に設けられた低温室と、
前記上側仕切り板の上方に設けられ前記冷蔵室冷却用蒸発器により冷却された冷気を前記冷蔵室内に送風する上側冷気吹出口と、
前記低温室の背部に設けられ前記冷蔵室冷却用蒸発器により冷却された冷気を前記低温室内に送風する下側冷気吹出口と、
前記上側仕切り板の上方において、前記上側仕切り板の上方かつ最下段に位置する前記載置棚の下方にのみ設けられ前記上側冷気吹出口より吹き出した冷気を前記冷蔵室冷却用蒸発器に戻す上側冷気吸込口と、
前記下側仕切り板の下方に設けられ前記上側冷気吹出口及び下側冷気吹出口より吹き出した冷気を前記冷蔵室冷却用蒸発器に戻す下側冷気吸込口と、
前記冷蔵室の背部に設けられ前記上側冷気吸込口と前記下側冷気吸込口から吸い込んだ空気を前記冷蔵室冷却用蒸発器に送風するリターンダクトとを備えたことを特徴とする冷凍冷蔵庫。
【請求項２】
前記下側仕切り板の下方に卵ケース及び給水タンクを設け、前記下側冷気吸込口を前記低温室と、前記卵ケース及び／又は給水タンクの背部に設けたことを特徴とする請求項１に記載の冷凍冷蔵庫。
【請求項３】
前記冷蔵室冷却用蒸発器から下側冷気吹出口に冷気を送風する下側冷気送風ダクトを、リターンダクトの片側のみに設けたことを特徴とする請求項１または請求項２に記載の冷凍冷蔵庫。
【請求項４】
前記野菜容器の前方に、前記野菜容器の前方開口部を覆うクリスパ蓋を設けたことを特徴とする請求項１に記載の冷凍冷蔵庫。
【発明の詳細な説明】
【技術分野】
【０００１】
本発明は、冷蔵室と冷凍室をそれぞれ専用の蒸発器で冷却する冷凍冷蔵庫に関する。
【背景技術】
【０００２】
従来、冷蔵室と冷凍室をそれぞれ専用の蒸発器で冷却する冷凍冷蔵庫として、特開２０００−２２０９４３号公報（特許文献１）に記載されたものが知られている。この従来の冷凍冷蔵庫は、その図２に示されているように、冷蔵庫本体の上部を冷蔵室、下部を冷凍室とし、冷蔵室と冷凍室との間を冷気が行き来しないように断熱仕切壁にて区画し、冷蔵庫本体の背部の上部に冷蔵室冷却用蒸発器、冷蔵庫本体の背部の下部に冷凍室冷却用蒸発器を設置し、冷蔵室の背壁の上部に形成された冷気吹出口から冷蔵室冷却用蒸発器を経て冷却された冷気を吹き出し、また冷蔵室の背壁の上下中間部に形成された冷気吸込口から庫内冷気を冷蔵室の背部に排気して冷蔵室冷却用蒸発器に戻す構成である。そして冷蔵室の下部に野菜容器を他から仕切って設けている。
【０００３】
しかしながら、このような従来の冷凍冷蔵庫の場合、野菜容器を冷蔵室の下部に設けているが、野菜容器よりも上方の位置で冷蔵室の背壁に冷却室を形成し、その冷却室から冷蔵室の前方に冷気が吹き出すように冷気吹出口を設け、冷却室の下面に冷蔵室から冷気を吸い込むように冷気吸込口を設けているので、冷気が主にこの冷却室の前方部分において冷蔵室内を循環するが、冷蔵室下部の野菜容器にまで十分に冷気が循環せず、野菜容器内の食料品を効果的に冷却できない問題点があった。
【発明の開示】
【発明が解決しようとする課題】
【０００４】
本発明は、上記従来技術の課題に鑑みてなされたもので、野菜容器が十分に冷却され、しかも、高湿に維持することができる冷凍冷蔵庫を提供することを目的とする。
【課題を解決するための手段】
【０００５】
本発明の特徴は、冷蔵庫本体の上部に設けた冷蔵室と、前記冷蔵庫本体の下部に設けた冷凍室と、前記冷蔵室の背部に設けられ前記冷蔵室を冷却する冷蔵室冷却用蒸発器と、前記冷凍室の背部に設けられ前記冷凍室を冷却する冷凍室冷却用蒸発器と、前記冷蔵室内に設けられ前記冷蔵室冷却用蒸発器より下方に位置する野菜容器と、前記野菜容器の上方に前記野菜容器の上面開口部を覆うように設けられた上側仕切り板と、前記野菜容器の上方に設けられ食品を載置する載置棚と、前記野菜容器の下方に設けられた下側仕切り板と、前記下側仕切り板の下方に設けられた低温室と、前記上側仕切り板の上方に設けられ前記冷蔵室冷却用蒸発器により冷却された冷気を前記冷蔵室内に送風する上側冷気吹出口と、前記低温室の背部に設けられ前記冷蔵室冷却用蒸発器により冷却された冷気を前記低温室内に送風する下側冷気吹出口と、前記上側仕切り板の上方において、前記上側仕切り板の上方かつ最下段に位置する前記載置棚の下方にのみ設けられ前記上側冷気吹出口より吹き出した冷気を前記冷蔵室冷却用蒸発器に戻す上側冷気吸込口と、前記下側仕切り板の下方に設けられ前記上側冷気吹出口及び下側冷気吹出口より吹き出した冷気を前記冷蔵室冷却用蒸発器に戻す下側冷気吸込口と、前記冷蔵室の背部に設けられ前記上側冷気吸込口と前記下側冷気吸込口から吸い込んだ空気を前記冷蔵室冷却用蒸発器に送風するリターンダクトとを備えた冷凍冷蔵庫である。
【発明の効果】
【０００６】
本発明の冷凍冷蔵庫によれば、野菜容器が十分に冷却され、しかも、野菜容器内を高湿に維持することができる。
【発明を実施するための最良の形態】
【０００７】
以下、本発明の実施の形態を図に基づいて詳説する。図１〜図６は本発明の１つの実施の形態の冷凍冷蔵庫を示している。冷凍冷蔵庫は、箱形の冷蔵庫本体１内に断熱仕切壁４を設け、その上方に冷蔵室２、下方に冷凍室３を設けている。冷凍室３は、上部に製氷室３ａおよび小冷凍室又は切替室３ｂを併設し、その下方に大冷凍室３ｃを区画形成してある。冷蔵室２には冷蔵室ドア６、製氷室３ａには製氷室ドア８、小冷凍室３ｂには小冷凍室ドア９、そして大冷凍室３ｃには冷凍室ドア７をそれぞれ個別に設けている。
【０００８】
図２に示すように、冷蔵室２の上部には、食品を載置する載置棚２１を複数段設けており、その下方には野菜容器２６を配置している。野菜容器２６の下方には他の収納スペースと区画する下側仕切り板２５を設けてその下方を低温室２３にしている。この低温室２３には、チルド室２７Ａ、卵ケース２７Ｂ、給水タンク２７Ｃを収容するようにしている。
【０００９】
野菜容器２６は収納された野菜を取り出しやすくするため、上方と前面上部が開口しており、この上方開口部の上方には上方開口部を覆うように載置棚となる上側仕切り板２４を冷蔵庫本体側壁に設けている。また、前面上部開口部を覆うようにクリスパ蓋３０を設けている。さらに、図３に示すように、野菜容器２６は底面をスライドレール２６Ａで支持されており、前後方向に移動可能に取り付けられている。また、クリスパ蓋３０は、野菜容器２６を前方向に移動させると、上方にスライドして上方開口部を開放するようになっており、手動でも上方開口部を開放できるようになっている。なお、野菜容器２６の形状は上記した形状に限らず、前面上部開口部を設けずに前面は前壁で形成していていもよく、また上方開口部も野菜容器２６に直接着脱自在に設けた蓋体で覆ってもよく、種々の変更が可能である。
【００１０】
図２に示すように、冷蔵室２の背部には、冷蔵室冷却蒸発器１３を設けており、この冷蔵冷却蒸発器１３の前方には、この冷蔵室冷却蒸発器１３を設けた冷却空間と貯蔵空間とを区画する冷蔵室ダクトカバー１１を設けている。図４に示すように、冷蔵室ダクトカバー１１は冷蔵室ダクト前パネル１１Ａ、冷蔵室ダクト後パネル１１Ｂ、冷蔵室ダクト下パネル２８から構成している。
【００１１】
図５にも示すように、冷蔵室冷却用蒸発器１３の上方には冷気を循環させる冷蔵室冷却ファン１４を配置しており、冷蔵室ダクト前パネル１１Ａ、冷蔵室ダクト後パネル１１Ｂとの間に形成された左右の送風ダクトを介して冷気吹出口１７から冷蔵室２内に冷気が供給されるようになっている。冷気吹出口１７は、冷蔵室ダクト前パネル１１Ａの前面と側面と上面に設けており、前面に設けた冷気吹出口１７から吹き出された冷気は、各棚２１間の収納スペースを通風するように前方に吹き出され、側面と上面に設けられた冷気吹出口１７からは、冷蔵庫の内壁に沿って前方へ吹き出されることで冷蔵室２内が均一に冷却されるようになっている。チルド室２７Ａには、右側の下側冷気送風ダクト１９の先端に下側冷気吹出口２０を設けており、この下側冷気吹出口２０から吹き出された冷気はチルド室２７Ａ内に吹き出され、チルド室２７Ａと共に卵ケース２７Ｂ、給水タンク２７Ｃが冷却されるようになっている。
【００１２】
冷気吹出口１７から吹き出された冷気の一部は、冷蔵室ダクト前パネル１１Ａの下部側面であって、上側仕切り板２４より上方に形成した上部冷気吸込口１８より冷蔵室２を冷却した冷気を吸い込む。また、冷気吹出口１７から吹き出された冷気の残りと下側冷気吹出口２０から吹き出された冷気とは、冷蔵室ダクト下パネル１５の下部前面であって、下側仕切り板２５より下方に形成した下側冷気吸込口２９より冷蔵室２を冷却した空気を吸い込む。
【００１３】
図５に示すように、野菜容器２６の背部であって、下側冷気送風ダクト１９と併設して設けられたリターンダクト１６は、下側冷気吸込口２９より吸い込んだ空気を、冷蔵室冷却用蒸発器１３に戻すように上方に延在しており、上側冷気吸込口１８より吸い込んだ空気もリターンダクト１６の上部で合流して蒸発器１３に戻されるようになっている。
【００１４】
冷蔵室ダクト下パネル１５における野菜室空間２２の背方に相当する部分は開口部分のない閉塞部２８としてあり、野菜容器２６内に設けられた食品は、上側仕切り板２４の上方を流れる冷気や、野菜容器２６の前方を流れる冷気、下側仕切り板２５の下方を流れる冷気又はリターンダクト１６や下側冷気送風ダクト１９により、間接的に冷却されることで十分に冷却される。特に野菜容器２６の下方に冷気吸込口、ここでは下側冷気吸込口２９を設け、野菜容器２６の背面にリターンダクト１６を配置することで、野菜容器２６内に直接冷気が吹き込まれなくても野菜容器２６の周囲を流れる冷気通路が形成され冷却される。しかも、野菜容器２６を設けた野菜室空間２２には、冷気吹出口や吸込口を設けていないため、送風による乾燥を抑制することができるようになっている。
【００１５】
一方、図１、図２に示すように、冷凍室３内には、複数段に冷凍ケース３１が設置してある。また冷凍室ドア７を自動開放するためにソレノイド・プランジャ３２が設置してある。冷凍室３の背部には冷凍室冷気ダクトカバー３３が設置してあり、この冷凍室冷気ダクトカバー３３と冷蔵庫本体１の背壁との間に冷凍室冷気ダクト３４を形成している。冷凍室冷気ダクト３４内には冷凍室冷却用蒸発器３５が設置してあり、また冷気循環のために冷凍室冷却ファン３６が設置してある。冷凍室冷気ダクトパネル３３の前方には冷気吹出ダクト３７が形成してある。冷蔵庫本体１の下部背面には圧縮機３８が設置してある。
【００１６】
図６を用いて、本実施の形態の冷凍サイクルを説明する。圧縮機３８、凝縮器３９、三方弁４０が冷媒パイプ４１にて接続してあり、三方弁４０の一方の出口には冷蔵室キャピラリチューブ４２、冷蔵室冷却用蒸発器（Ｒ蒸発器）１３が接続してある。三方弁４０の他方の出口には冷凍室キャピラリチューブ４３、冷凍室冷却用蒸発器（Ｆ蒸発器）３５が接続してある。冷蔵室冷却用蒸発器１３の出口は冷凍室冷却用蒸発器３５の入口に冷凍室キャピラリチューブ４３と共に接続してある。この冷凍室冷却用蒸発器３５の出口側はアキュムレータ４４を経て圧縮機３８に戻るように冷媒パイプ４１が接続してある。
【００１７】
図４に示した冷凍サイクルは、圧縮機３８にて圧縮された冷媒を凝縮器３９にて凝縮して液体にし、この液体状態の冷媒を三方弁４０にて冷蔵室冷却用蒸発器１３、冷凍室冷却用蒸発器３５に切り替えて交互に通過させることで、それぞれの蒸発器１３，３５で液体冷媒を気化させてその時の気化熱にて蒸発器１３，３５を低温状態に冷やす。
【００１８】
そして前述の冷蔵室冷却ファン１４の回転にて冷蔵室冷気ダクト１２を循環する空気にこの冷蔵室冷却用蒸発器１３を通過させることで冷却し、冷蔵室冷気６１にして冷蔵室２内に吹き出させることで冷蔵室２内を冷却する。同様に、冷凍室冷却ファン３６の回転にて冷凍室冷気ダクト３４を循環する空気に冷凍室冷却用蒸発器３５を通過させることで冷却し、冷凍室冷気６４にして冷凍室３内に吹き出させて小冷凍室３ａ、製氷室３ｂ、大冷凍室３ｃの各室を冷却する。
【００１９】
次に、上記の冷凍冷蔵庫による冷却動作について説明する。冷蔵室２側では、冷蔵室冷却ファン１４により冷蔵室冷気ダクト１２内に空気を吸い込み、冷蔵室冷却用蒸発器１３と熱交換した冷気６１を冷蔵室２内に各冷気吹出口から上部、側部、前部に吹き出させる。冷蔵室２内では、冷気６１は各棚２１部分を下降しながら食品を冷却し、矢印にて示すように一部の冷気６２は上側仕切り板２４の上方で、かつ、複数段の載置棚２１のうちの最下段のものよりも下方に配置した冷気吸込口１８から冷蔵室冷気ダクト１２に吸い出させて循環させる。また、冷蔵室冷気６１の残りの冷気６３は野菜容器２６の前方を通って、低温室２３まで下降し、チルド室２７Ａの背部の下部冷気吸込口２９から冷蔵室ダクト下パネル１５の背面のリターンダクト１６に吸い込み、冷気吸込口１８から吸い込んだ空気と合流して再び冷蔵室冷却用蒸発器１３と熱交換するようになっている。
【００２０】
この冷蔵室冷気６１〜６３の流れにより、載置棚２１上の食品類を冷却し、また野菜室空間２２の野菜容器２６を間接的に冷却し、さらに低温室２３内のチルド室２７Ａ、卵ケース２７Ｂ、給水タンク２７Ｃを冷却する。この冷蔵室冷却動作において、野菜室空間２２の背部に相当する冷蔵室ダクト下パネル１５の部分は閉塞部２８となり、ここに冷気が通過する開口部分が設けられていないので、冷蔵室冷気６１〜６３が野菜室空間２２内の野菜容器２６の周囲を通過して野菜容器２６内の野菜を間接的に冷却するが、冷気が直接に野菜容器２６内の野菜類に当たることはない。このために低温度故に含有水蒸気が少ない乾燥状態の冷蔵室冷気６１〜６３が野菜類から水分を奪う割合は少なく、野菜容器２６内の野菜類を鮮度良く冷却することができる。また、冷凍室冷却用蒸発器３５に冷媒を流して冷凍室２等を冷却中に、冷蔵室冷却ファンを回転させて冷蔵室冷却用蒸発器１３に付着した霜の水分を冷蔵室２内に還元することで、さらに野菜室内の湿度を高湿に保つことができる。野菜容器２６の前面開口部にクリスパ蓋３０を設けることにより野菜容器３６内の野菜類の水分蒸発を抑制しているが、このクリスパ蓋３０を設けなくても、あるいは開放した状態であっても上記した制御により水分蒸発を十分に抑制でき、鮮度維持ができる。
【００２１】
冷凍室３側の冷却については、冷凍室冷却ファン３６により冷凍室冷気ダクト３４内に空気を循環させ、冷凍室冷却用蒸発器３５を通過させて冷却して冷気６４にして冷凍室吹出ダクト３７から冷凍室３内に吹き出させて製氷室３ａ、小冷凍室３ｂ、大冷凍室３ｃを冷却する。冷凍室３内の冷気６４は各部を下降しながら食品を冷却し、冷凍室冷気ダクト３４にその下部から吸い出させて循環させる。
【００２２】
以上のように、本実施の形態の冷凍冷蔵庫によれば、冷蔵室２内に野菜室空間２２を設け、そこに野菜容器２６を収容して野菜容器２６内の野菜類を冷却するようにし、かつ、野菜室空間２２の背部には冷気が通過する開口部分を設けていないため、低温度故に含有水蒸気が少ない乾燥状態の冷蔵室冷気６１が野菜類から水分を奪う割合は少なく、野菜容器２６内の野菜類を鮮度良く、かつ効果的に冷却することができる。
【００２３】
また、冷蔵室２と冷凍室３にそれぞれ専用の蒸発器１３，３５を設けていることで、冷蔵室２内及び野菜容器２６内の乾燥を抑制することができるとともに、特に冷凍室３を冷却中に冷蔵室冷却ファン１４を回転させて冷凍室冷却用蒸発器３５に付着した霜の水分を冷蔵室２内に還元させることで、さらに冷蔵室２内及び野菜容器２６内を高湿にすることができる。
【００２４】
さらに、野菜容器２６の下方に冷気吸込口２９を設け、この冷気吸込口２９から吸い込んだ空気を冷蔵室冷却用蒸発器１３に送風するリターンダクト１６を野菜容器２６の背部に設けたことにより、野菜容器２６の周囲を流れる風路が形成され、野菜容器２６内に冷気が直接吹き出されなくても十分に間接的に冷却することができる。
【００２５】
さらにまた、野菜容器２６の上面開口部には、上側仕切り板２４を設けて覆っているため野菜容器２６内の乾燥が抑制されるとともに、この上側仕切り板２４の上方に冷気吸込口１８を設けているため、野菜容器２６の上方で冷気風路が形成され、特に野菜容器２６の上面を密閉するような蓋体を有さなくても野菜容器２６を上方から間接的に冷却することができる。また、野菜容器２６の下方に設けられた下側仕切り板２５の下方に、低温室２３内のチルド室２７Ａなどを冷却する下側冷気吹出口２０と、下側冷気吹出口より吹き出した冷気を冷蔵室冷却用蒸発器１３に戻す下側冷気吸込口２９とを設けたことで、野菜容器２６の下方で冷気風路が形成され、より確実に野菜容器２６を下方からも間接的に冷却することができる。
【００２６】
一方、下側冷気送風ダクト１９をリターンダクト１６の側方に設けたことで、収納スペースを有効活用することができるとともに、下側冷気送風ダクト１９を通る冷気により、さらに確実に野菜容器２６内の食品を冷却することができる。
【００２７】
野菜容器２６の前方には、野菜容器２６の前方開口部を覆うクリスパ蓋３０を設けたことで、収納時には野菜容器２６内の乾燥を抑制することができるとともに、使用時には蓋３０を開閉することで野菜容器２６内の食品を取り出しやすくすることができ使用者の使い勝手が向上する。
【００２８】
さらにまた、冷蔵室２と冷凍室３を区画する断熱仕切壁１０を設け、この断熱仕切壁１０と下側仕切り板２５との間に低温室２３を配置したことで、野菜容器２６は温度の低い冷凍室３と断熱仕切壁１０及び低温室２３を介して離間させているため、野菜容器２６内が過冷却されて氷結や結露してしまうことを抑制し、もって野菜容器２６内を高湿に保持することができる。この場合、温度の低い冷蔵室冷却用蒸発器１３も野菜容器２６の上方に配置させているため、野菜容器２６が過冷却されてしまうことを抑制することができる。さらに、野菜容器２６内の冷えすぎを防止するための温度補償ヒータなどを用いなくても良いため省電力化とすることができる。なお、野菜容器２６に悪影響を及ぼさないように断熱仕切壁１０の厚みなどを考慮した設計とすれば、野菜容器２６を断熱仕切壁１０の上面に配置するような形態としてもよい。この場合、チルド室２７Ａなどは野菜容器２６の上方に設けてもよい。
【図面の簡単な説明】
【００２９】
【図１】本発明の１つの実施の形態の冷凍冷蔵庫の正面図。
【図２】上記実施の形態の冷凍冷蔵庫の縦断面図。
【図３】上記実施の形態の冷凍冷蔵庫における冷蔵室内の機器配置を示す一部破断斜視図。
【図４】上記実施の形態の冷凍冷蔵庫の冷蔵室冷気ダクトパネル、冷蔵室ダクト下パネル、冷蔵室冷却用蒸発器を示す分解斜視図。
【図５】上記実施の形態の冷凍冷蔵庫における冷蔵室背部の断面図。
【図６】上記実施の形態の冷凍冷蔵庫の冷凍サイクルのブロック図。
【符号の説明】
【００３０】
１  冷蔵庫本体
２  冷蔵室
３  冷凍室
１１  冷蔵室冷気ダクトパネル
１２  冷蔵室冷気ダクト
１３  冷蔵室冷却用蒸発器
１４  冷蔵室冷却ファン
１５  冷蔵室ダクト下パネル
１６  リターンダクト
１７  冷蔵室冷気吹出口
１８  冷気吸込口
１９  下側冷気送風ダクト
２０  下側冷気吹出口
２２  野菜室空間
２３  低温室
２４  上側仕切り板
２５  下側仕切り板
２６  野菜容器
２７Ａ  チルド室
２８  閉塞部
２９  下部冷気吸込口
６１  冷蔵室冷気
６２  冷気
６３  冷気
６４  冷凍室冷気
【要約】
【課題】野菜容器を効果的に冷却し、かつ高湿に維持できる冷凍冷蔵庫を提供する。
【解決手段】本発明の冷凍冷蔵庫は、冷蔵庫本体の上部に設けた冷蔵室と、前記冷蔵庫本体の下部に設けた冷凍室と、前記冷蔵室の背部に設けられ前記冷蔵室を冷却する冷蔵室冷却用蒸発器と、前記冷凍室の背部に設けられ前記冷凍室を冷却する冷凍室冷却用蒸発器と、前記冷蔵室内に設けられ前記冷却器より下方に配置した野菜容器と、前記野菜容器と対向しない前記冷蔵室の背部に設けられ、前記冷蔵室冷却用蒸発器により冷却された冷気を前記冷蔵室内に送風する冷気吹出口と、前記野菜容器の下方に位置し前記冷蔵室の背部に設けられ、前記冷蔵室内を冷却した空気を冷蔵室冷却用蒸発器に戻す冷気吸込口と、前記野菜容器の背部に設けられ、前記冷気吸込口から吸い込んだ空気を前記冷蔵室冷却用蒸発器に送風するリターンダクトとを設けたことを特徴とする。
【選択図】      図２【図１】
0004192200.tif 000002
【図２】
0004192200.tif 000003
【図３】
0004192200.tif 000004
【図４】
0004192200.tif 000005
【図５】
0004192200.tif 000006
【図６】
0004192200.tif 000007